(57)【要約】【課題】迅速に連結が可能で且つ振動により連結が外れない差込式コネクターの提供。【解決手段】差込式の連結により多数の電気的接続を形成するプラグ部２及びソケット部３を有する差込式コネクター１であって、差込式コネクター１の連結が不意に外れないように、少なくともプラグ部２又はソケット部３の本体１９、２４に、対応するソケット部３又はプラグ部２とネジ止め可能なユニオンナット４を備えている。ユニオンナット４はその両端にプラグ部２及びソケット部３を同時にネジ止め可能な逆方向に形成した内ネジ７、２８を備えている。【選択図】    図１
2007027112.tif 000002
【特許請求の範囲】
【請求項１】
差込式の連結により多数の電気的接続を形成するプラグ部（２）及びソケット部（３）を有する差込式コネクター（１）であって、
差込式コネクター（１）の連結が不意に外れないように、少なくともプラグ部（２）又はソケット部（３）の本体（１９、２４）に、対応するソケット部（３）又はプラグ部（２）とネジ止め可能なユニオンナット（４）を備え、ユニオンナット（４）はその両端にプラグ部（２）及びソケット部（３）とネジ止め可能な逆方向に形成した内ネジ（７、２８）を有しており、
ユニオンナット（４）の少なくとも一方の内ネジ（７、２８）は分割形成されており、ユニオンナット（４）の端面（３１、３８）側の最初のネジ山（４０）は、ソケット部（３）及びプラグ部（２）の外ネジ（６、２０）のネジ山とは嵌合不可能な異なった断面形状であることを特徴とする差込式コネクター。
【請求項２】
プラグ部（２）及びソケット部（３）の本体（１９、２４）の外ネジ（２０、６）は、ユニオンナット（４）の内ネジ（２８、７）と相補的に形成されていることを特徴とする請求項１に記載の差込式コネクター。
【請求項３】
ユニオンナット（４）は付随するプラグ部（２）又はソケット部（３）の本体（１９、２４）に回転可能且つ移動可能に取り付けられていることを特徴とする請求項１又は請求項２に記載の差込式コネクター。
【請求項４】
プラグ部（２）及びソケット部（３）はその端面に少なくとも部分的に軸方向に延びる歯状突起（２２、１５）を備え、差込式コネクター（１）がネジ止めされると、該歯状突起が互いに嵌合し、プラグ部（２）及びソケット部（３）は径方向への遊びが無いように整列されることを特徴とする請求項１に記載の差込式コネクター。
【請求項５】
少なくともユニオンナット（４）を付随するプラグ部（２）又はソケット部（３）にはゴムの性質を有する第１の弾性封止リング（２５）が備えられ、該リングはプラグ部（２）又はソケット部（３）の端面に配置され、ユニオンナット（４）を締め付けると該リングが圧搾され、ユニオンナット（４）とソケット部（３）の本体（２４）又はプラグ部（２）の本体（１９）の間の第１の環状空隙（３６）を径方向に封止することを特徴とする請求項１ないし請求項４のいずれか１項に記載の差込式コネクター。
【請求項６】
少なくともユニオンナット（４）を付随するプラグ部（２）又はソケット部（３）にはゴムの性質を有する第２の弾性封止リング（２６）が備えられ、該リングはプラグ部（２）の外ネジ（２０）のプラグ部（２）の端面とは逆側の末端、又はソケット部（３）の外ネジ（６）のソケット部（３）の端面とは逆側の末端に配置され、ユニオンナット（４）とプラグ部（２）の本体（１９）又はソケット部（３）の本体（２４）の間の第２の環状空隙（３９）をユニオンナット（４）の端面（３１、３８）域において径方向に封止することを特徴とする請求項１ないし請求項５のいずれか１項に記載の差込式コネクター。
【請求項７】
プラグ部（２）の本体（１９）、ソケット部（３）の本体（２４）及びユニオンナット（４）へと押圧される封止リング（２５、２６）は、ユニオンナット（４）に対して摩擦ブレーキとして作用し、振動によるユニオンナット（４）の脱落を防止していることを特徴とする請求項５又は請求項６に記載の差込式コネクター。
【発明の詳細な説明】
【技術分野】
【０００１】
本発明は、差込式の連結により多数の電気的接続を形成するプラグ部及びソケット部を有する差込式コネクターに関するものであって、差込式コネクターの連結が不意に外れないように、少なくともプラグ部又はソケット部の本体に、対応するソケット部又はプラグ部をネジ止め可能なユニオンナットを備え、該ユニオンナットはその両端にプラグ部及びソケット部とネジ止め可能なように逆方向に形成した内ネジを有している。
【背景技術】
【０００２】
そのような差込式コネクターは周知であり、特に電気器具、機械、車及びシステムに用いられている。この連結方式は、取付け工又は使用者が電気的な連結を簡単、迅速且つ安全に連結又は取外し可能にすることを意図している。技術的には、接触子を互いに安全に電気的に接続し、差込式コネクターに接触しても高電圧から人体を保護ずるように設計されている。接触子を機械的及び環境的な影響から保護するように設計した、複数の雌の接触コネクターを有する多極のプラグ部及び複数の雄の接触コネクターを有する多極のソケット部を含んで構成した差込式コネクターがよく用いられる。
【０００３】
この場合、不意に連結が外れないように、ユニオンナットを用いてプラグ部とそのソケット部を固定することは周知である。このため、軸方向に、確実に固定されるまで、例えばプラグ部を有するユニオンナットをソケット部の外ネジに捩じ込むようにする。時には、プラグ部とソケット部の間に、封止リングが備えられ、プラグ部を差込むか又はユニオンナットを捩じ込むと封止リングが圧搾され、プラグ部とソケット部が互いに密閉されるようになる。更に、封止リングはユニオンナットに対して摩擦ブレーキとして作用し、振動によって連結が外れるのを防いでいる。この場合、特にＯ−リングが封止リング及び摩擦ブレーキとして効果があることが、製造時及び使用時に実証されている。
【０００４】
ユニオンナットの連結、取外しに時間を要することが、この差込式コネクターの１つの短所である。プラグ部の端面とソケット部の端面の間に封止リングを配置する場合には、湿気の進入を確実に防ぐため、プラグ部とソケット部の間の環状空隙を封止するように、封止リングが常に圧搾されるとは限らないことが別の短所である。特に、異なった製造者の上市されているプラグ部とソケット部を用いると、僅かな遊びがあることが多いので、そのような場合に当てはまる。この場合には、振動によりユニオンナットが脱落することになる。
【０００５】
しかしながら、上記の工業的に用いる差込式コネクターでは、頑丈さ、耐振動性、迅速な連結及び気密性に関する要求が大きい。
【発明の開示】
【発明が解決しようとする課題】
【０００６】
本発明は、上記短所を防ぐように差込式コネクターを改良することを目的としている。第一には振動によりユニオンナットが脱落しないようにすることであり、第二には、僅かな回転により迅速に連結できるようにすることである。
【課題を解決するための手段】
【０００７】
本発明の目的は（１）に記載の特徴を有する差込式コネクターにより達成される。（２）〜（７）にはその発展形態が記載されている。
【０００８】
（１）差込式の連結により多数の電気的接続を形成するプラグ部及びソケット部を有する差込式コネクターであって、前記差込式コネクターの連結が不意に外れないように、少なくとも前記プラグ部又は前記ソケット部の本体に、対応する前記ソケット部又は前記プラグ部とネジ止め可能なユニオンナットを備え、前記ユニオンナットはその両端に前記にプラグ部及び前記ソケット部とネジ止め可能な逆方向に形成した内ネジを有しており、前記ユニオンナットの少なくとも一方の前記内ネジは分割形成されており、前記ユニオンナットの端面側の最初のネジ山は、前記ソケット部及び前記プラグ部の外ネジのネジ山とは嵌合不可能な異なった断面形状であることを特徴とする差込式コネクター。
【０００９】
（２）前記プラグ部及び前記ソケット部の本体の前記外ネジは、前記ユニオンナットの前記内ネジと相補的に形成されていることを特徴とする前記（１）に記載の差込式コネクター。
【００１０】
（３）前記ユニオンナットは付随する前記プラグ部又は前記ソケット部の本体に回転可能且つ移動可能に取り付けられていることを特徴とする前記（１）又は（２）に記載の差込式コネクター。
【００１１】
（４）前記プラグ部及び前記ソケット部はその端面に少なくとも部分的に軸方向に延びる歯状突起を備え、前記差込式コネクターがネジ止めされると、該歯状突起が互いに嵌合し、前記プラグ部及び前記ソケット部は径方向への遊びが無いように整列されることを特徴とする前記（１）に記載の差込式コネクター。
【００１２】
（５）少なくとも前記ユニオンナットを付随する前記プラグ部又は前記ソケット部にはゴムの性質を有する第１の弾性封止リングが備えられ、該リングは前記プラグ部又は前記ソケット部の端面に配置され、前記ユニオンナットを締め付けると該リングが圧搾され、前記ユニオンナットと前記ソケット部の本体又は前記プラグ部の本体の間の第１の環状空隙を径方向に封止することを特徴とする前記（１）ないし（４）のいずれか１項に記載の差込式コネクター。
【００１３】
（６）少なくとも前記ユニオンナットを付随する前記プラグ部又は前記ソケット部にはゴムの性質を有する第２の弾性封止リングが備えられ、該リングは前記プラグ部の外ネジの前記プラグ部の端面とは逆側の末端、又は前記ソケット部の外ネジの前記ソケット部の端面とは逆側の末端に配置され、前記ユニオンナットと前記プラグ部の本体又は前記ソケット部の本体の間の第２の環状空隙を前記ユニオンナットの端面域において径方向に封止することを特徴とする前記（１）ないし（５）のいずれか１項に記載の差込式コネクター。
【００１４】
（７）前記プラグ部の本体、前記ソケット部の本体及び前記ユニオンナットへと押圧される前記封止リングは、前記ユニオンナットに対して摩擦ブレーキとして作用し、振動による前記ユニオンナットの脱落を防止していることを特徴とする前記（５）又は（６）に記載の差込式コネクター。
【発明の効果】
【００１５】
本発明により、ユニオンナットを僅かに回転させるだけで、プラグ部とソケット部を迅速に連結して差込式コネクターを組み立てることが可能となった。しかも、ユニオンナットは振動により緩むことなく、プラグ部とソケット部との連結を保つことが可能となった。
【発明を実施するための最良の形態】
【００１６】
本発明による差込式コネクターは、両端部に対向する内ネジを有するユニオンナットを備え、少なくとも一方の内ネジは分割形成され、分割形成された内ネジのユニオンナットの端面側の最初のねじ山は、プラグ部又はソケット部の外ネジとは異なった断面形状となっている。
【００１７】
２つの内ネジを有するユニオンナットは、差込式コネクターをネジ止めするために準備されたものであり、一方の内ネジはプラグ部をネジ止めし、他方の内ネジはソケット部をネジ止めするのに用いられる。ユニオンナットの内ネジは互いに対向して配置され、ユニオンナットのそれぞれの端面まで延びている。内ネジは、逆方向に形成されるが同じピッチを有している。
【００１８】
分割形成されたユニオンナットの内ネジは、差込方向に延びたネジ山の無い分割を少なくとも１つは有し、プラグ部又はソケット部に形成された外ネジと相補的であり、ほぼ完全に挿入可能であり、ユニオンナットを従来よりも少なく回転させて、確実にネジ止めできるように構成している。
【００１９】
差込式コネクターをネジ止めするため、ユニオンナットの内ネジに対応するプラグ部及びソケット部の外ネジをユニオンナットの２つの内ネジに嵌合させる。ユニオンナットを回転させると、プラグ部及びソケット部は同時に、ユニオンナットの中央方向にプラグ部の本体とソケット部の本体が接するまで互いに移動し、電気的連結が形成される。片側にのみネジ止め可能な内ネジを備えたユニオンナットに比し、本発明によるユニオンナットでは、差込式コネクターをネジ止めするのに約１／２の回転数で済み、時間の節約となる。更に、所定の角度又は回転数だけユニオンナットを回転させると、従来のユニオンナットに比し、プラグ部の端面及びソケット部の端面は２倍の距離を移動する。
【００２０】
ユニオンナット上に分割形成された内ネジの最初のネジ山は、プラグ部の接触子担体がソケット部のネジスリーブに完全に挿入されるまで、ソケット部又はプラグ部の外ネジのネジ山とは嵌合しない。このようにネジ止めした差込式コネクターにおいては、プラグ部とソケット部の間に確実な電気的連結が形成される。
【００２１】
プラグ部及びソケット部は、ユニオンナットの内ネジと相補的な外ネジをそれぞれの本体に備えている点が本発明の特徴である。そのため、プラグ部又はソケット部に備えられた相補的に形成した外ネジは、差込方向に延びたユニオンナットの内ネジの無い分割域にほぼ完全に差込み可能であり、少なくとも内ネジの無い領域において、ユニオンナットの回転数を減らしても固くネジ止めすることができる。更に、差込式コネクターをネジ止めしなくても、プラグ部とソケット部を互いに差込んで電気的連結を形成することができるという特徴がある。例えば、電気設備及びシステムの故障を迅速に解決し且つ故障部分を交換する必要がある場合には、このことが有用である。試験後又は故障部分を取り除いた後、ユニオンナットを回転することにより、プラグ部とソケット部を迅速、確実且つ耐久的に連結させることができる。
【００２２】
ユニオンナットはプラグ部又はソケット部の本体に回転可能に且つ移動可能に固定されることが好ましい。従って、一方ではユニオンナットが脱落しないようにし、他方では差込式コネクター部材のネジの無い領域に差込可能であり、差込式コネクターの組み立てに有利に作用する。ユニオンナットの２つの内ネジ並びにプラグ部及びソケット部の外ネジを分割形成するとプラグ部とソケット部の間の連結は極めて簡単且つ迅速に形成され、プラグ部はソケット部とロックされる。ロックするため、ユニオンナットを１／４から１／２回転させると、ネジのネジ山が相互に嵌合し、ネジ止め連結が形成される。
【００２３】
本発明を更に発展させて、ソケッット部の端面に少なくとも部分的に軸方向に歯状突起を備えてもよい。歯状突起は相補的に形成して、差込式コネクターをネジ止めする際に互いに嵌合するようにし、差込式コネクターのプラグ部及びソケット部を互いに径方向に遊びの無いように整列させる。差込式コネクターの部材の端面又は外周面に、例えば、鋸歯状、台形状又は正弦曲線状の断面形状の突起を形成してもよい。歯状突起はプラグ部とソケット部が噛合い且つ緊密に接して連結しており、ユニオンナットを締めると、プラグ部とソケット部の互いの不意の回転は阻止され、電気接触子の損傷を防ぐことができる。
【００２４】
本発明による差込式コネクターでは、ガスケットにより、プラグ部及びソケット部の電気接触子を湿気から防ぐことが好ましい。このため、ユニオンナットを付随するプラグ部又はソケット部の端面に第１の封止リングを、ユニオンナットの端面域に第２の封止リングを備えるように構成する。ユニオンナットを締め付けると、第１の封止リングはユニオンナットにより径方向に圧搾され、プラグ部又はソケット部の本体に押圧される。差込式コネクターが連結され、ネジ止めされた状態では、第１の封止リングはソケット部又はプラグ部とユニオンナットの間の第１の空隙を密閉する。ユニオンナットをプラグ部又はソケット部に差込むか又はネジ止めすると、第２の封止リングは径方向に押圧され、プラグ部又はソケット部とユニオンナットの間の第２の空隙を密閉する。
【００２５】
差込式コネクターのユニオンナットは、不意の、特に、振動による脱落に対して保護されている。そのため、ユニオンナットを伴っているプラグ部又はソケット部に、ユニオンナットの回転運動を抑制する摩擦ブレーキを備えている。プラグ部、ソケット部とユニオンナットとの間の環状空隙を径方向に密閉する弾性封止リングが摩擦ブレーキとして作用する。封止リングはユニオンナットの内周面に密着するように押圧され、摩擦力によりユニオンナットが固定される。ユニオンナットを回転させるには、摩擦ブレーキとユニオンナット間の摩擦力に上回る力が必要となる。
【実施例】
【００２６】
以下、図面を用いて本発明の実施例を詳細に説明する。
【００２７】
図１に示す差込型コネクター１はプラグ部２、ソケット部３及びユニオンナット４を含んで構成される。プラグ部２はソケット３に差込まれ、プラグ部２に付随したユニオンナット４によりソケット部３にネジ止めされる。プラグ部２は、機器のハウジング（不図示）に固定されたソケット部３と多数の電気的接続により連結されている。プラグ部２及びソケット部３はそれぞれ個別に、図４及び図２示されている。
【００２８】
図２に示すように、ソケット部３は外ネジ６を有するネジスリーブ５を備えている。外ネジ６は複数のネジ山を有し、分割されている。外ネジは、差込方向に沿って、ネジスリーブ５の外周に非対称的に分布して３つのネジの無い平滑部３４を有している。ソケット部３の、分割された外ネジ６に適合するユニオンナット４の内ネジ７は、図１に示すように外ネジ６に完全に挿入される。ユニオンナット４をソケット３に確実にネジ止めするには、ユニオンナット４を最大１／４〜１／２回転する必要がある。外ネジ６のプラグ部２から遠い側にユニオンナット４のストッパー３７が備えられている。
【００２９】
絶縁素材で形成される接触子担体８はソケット部３の端面から引っ込んで配置されている。接触子担体は径方向の遊びを伴ってネジスリーブ５内に固定されている。接触子担体８は、電気接触子として５つの雄型接触子９を有し、プラグ部２の雌型接触子１０と接続するようになっている。雄型接触子９はネジスリーブ５の端面１１まで伸びている。接触子担体８のプラグ部２を向いている端面には調整手段１２が備えられ、差込式コネクター１が連結されると、対応するプラグ部２の接触子担体１４の調整手段１３（図３、４参照）と嵌合するようになっている。調整手段１２、１３は、接触子担体８、１４の径方向の面が合致するように接触子担体を整列させる。調整手段１２、１３は従来型の差込式コネクターにプラグ部又はソケット部を連結する際に、その差込みを阻害しないように設計されている。
【００３０】
プラグ部２が回転しないように、ネジスリーブ５の端面１１には歯状突起１５が形成されている。歯状突起１５は軸方向に整列され、端面１１の台形状の多数の切欠き１６を含んで構成されている。切欠き１６は端面１１の環状域に均一に分布されている。凸条１７がネジスリーブ５の内側に軸方向に形成され、プラグ部２の接触子担体１４の軸方向に伸びた溝１８に連結して、差込型連結体１が正しい極性で電気接続されるようになっている。
【００３１】
図３、４には、端面がソケット部３と相補的なプラグ部２を示す。接触子担体１４が軸方向にプラグ部２の本体１９から突出しており、ソケット部３のネジスリーブ５へ挿入可能な構成となっている。接触子担体は５つの雌型接触子１０を有しており、プラグ部２をソケット部３に挿入するとプラグ部３の雄型接触子９と接続するようになっている。
【００３２】
プラグ部２の本体１９は側面にソケット部３に向かって、ユニオンナット４にネジ止めするための外ネジ２０を有している。外ネジ２０は完全なネジ（図３）又は分割されたネジ（図４）でもよい。外ネジ２０が完全なネジの場合は、ユニオンナットは複数の回転によりプラグ部２に捩じ込む必要がある。外ネジ２０がソケット部３の外ネジ６と同様に設計されている場合には、ユニオンナットを外ネジ２０に差込むことができる。ユニオンナット４の締め付けは約１／４回転まで減らすことができる。
【００３３】
プラグ部２の端面２１はソケット部３の端面１１とは逆である。端面２１は内部環状面に、ソケット部３のネジスリーブ５の歯状突起１５と相補的な歯状突起２２を有している。差込んでネジ止めした差込式コネクター１では、歯状突起２２の突起部２３が歯状突起１５の切欠き１６と嵌合し、プラグ部２がソケット部３に対して回転しないようになる。端面２１の外部環状面は滑らかで且つ平らに形成されている。
【００３４】
ソケット部３のネジスリーブ５とユニオンナット４の間の第１の環状空隙３６をシールする弾性封止リング２５は、ユニオンナット４の中央部の環状フランジ３５とプラグ部２の端面２１の外部環状面との間に配置されている。ユニオンナット４を締め付けると封止リング２５が圧搾され、ソケット部３のネジスリーブ５及びプラグ部２のユニオンナット４を外側へと押圧する。差込式コネクターをネジ止めした状態では、封止リング２５が差込式コネクター１の環状空隙３６径方向に封止する。
【００３５】
ユニオンナット４を備えたプラグ部２は、その外ネジ２０の端面２１とは逆側の末端に第二の弾性封止用Ｏ−リング２６を有している。O−リング２６はプラグ部２の本体１９の環状溝２７に配置されている。該リングはユニオンナット４の端面３１の近傍のユニオンナット４とプラグ部２の本体１９間の環状空隙３９を径方向へ封止する。
【００３６】
封止リング２５、２６として供給されるＯ−リングは、ゴムの性質を有する弾性材料から形成され、高い摩擦係数を有している。Ｏ−リング２５、２６はユニオンナット４に押圧され、プラグ部２、ソケット部３とユニオンナット４間の摩擦ブレーキの役割を果たしている。Ｏ−リングは摩擦力により、ユニオンナット４の回転を阻止し、振動によりユニオンナット４が脱落するのを防いでいる。差込型コンネクター１をネジ止めすると、Ｏ−リング２５、２６がソケット部３の雄型接触子９及びプラグ部２の雌型接触子１０を湿気から保護するように作用する。
【００３７】
図５には、ネジ止めしたユニオンナット４を付随した状態においての、ソケット部３に面しているプラグ部２の端部が示されている。プラグ部２の外ネジ２０は、完全なネジとして形成されている。この外ネジはユニオンナット４の内ネジ２８と嵌合している。内ネジ２８は、プラグ部２の完全なネジ形式の外ネジ２０に嵌合可能なので、完全なネジでも分割されたネジのいずれでもよい。
【００３８】
差込式コネクター１をネジ止めすると、ユニオンナット４の端面３１がプラグ部２のストッパー３２に近付き、ユニオンナット４の端面３８はソケット部３のストッパー３７に近付く。ソケット部３のネジスリーブ５の歯状突起１５のフランク（歯面）とプラグ部２の本体１９の歯状突起２２とが互いに接し合うまで、ユニオンナット４を回転させることできる。
【００３９】
ラッチ部３０がプラグ部２の本体１９の環状カラー２９上に一体的に形成されており、ユニオンナット４の案内部（不図示）に嵌合して、ユニオンナット４がプラグ部２と共に回転可能にロックされている。ラッチ部３０はユニオンナット４がプラグ部２から脱楽しないように機能している。ユニオンナット４の端面３１が、プラグ部２のストッパー３２に対して１／４〜１回転しても、ラッチ部３０は有効に機能する。ラッチ部３０が嵌合した後、１／４〜１回転させるだけで、ユニオンナット４がネジ止めされるか又は取外し可能となる。
【００４０】
ソケット部３に向いている、ユニオンナット４の内ネジ７は分割されたネジとして設計されている。この内ネジは、ネジスリーブ５の分割された外ネジ６と同等に形成されている。ユニオンナット４の内ネジ７は平滑部３３を有し、これによりソケット部３の外ネジ６が差込み可能となる。対応する（図５には示していない）ソケット部３の外ネジ６の平滑部３４と、ソケット部３側のユニオンナット４の内ネジ７が重なり合っている。ユニオンナット４の内ネジ７の最初のネジ山４０は、ソケット部３のネジスリーブ５の外ネジとは異なった断面形状を備えている。内ネジ７の最初のネジ山４０は、ネジ外部６のネジ山とは嵌合せず、これによりプラグ部２の接触子担体１４がソケット部３のネジスリーブ５に完全に挿入される場合にのみ、プラグ部２がソケット部３に確実にネジ止めされることになっている。
【００４１】
ユニオンナット４を回転させると、ユニオンナット４の対向する内ネジ２８、７により、プラグ部２とソケット部３は互いに近付くように移動して、プラグ部２の本体１９とソケット部３の本体２４間の環状空隙３６は、ソケット部３に割当てられた内ネジ７のみを有する従来のユニオンナットの場合に比し２倍の速度で縮まる。従って、プラグ部２及び／又はソケット部３の許容差が大きくても、ユニオンナット４を所定の角度の回転によって締め付けることにより、差込式コネクター１を確実且つ精度よく形成することができる。
【図面の簡単な説明】
【００４２】
【図１】本発明によるプラグ部及びソケット部を有する差込式コネクターを示す斜視図
【図２】図１に示すソケット部の斜視図
【図３】ユニオンナット用の外ネジを全周に有する図１に示すプラグ部の斜視図
【図４】ユニオンナット用の外ネジを分割的に有する図３に示すプラグ部の斜視図
【図５】ユニオンナットをネジ止めした図３に示すプラグ部の部分拡大図
【符号の説明】
【００４３】
１    差込型コネクター
２    プラグ部
３    ソケット部
４    ユニオンナット
５    ネジスリーブ
６    （ソケット部の）外ネジ
７    内ネジ
８    （ソケット部の）接触子担体
９    雄型接触子
１０  雌型接触子
１１  （ネジスリーブの）端面
１２  （ソケット部の）調整手段
１３  （プラグ部の）調整手段
１４  （プラグ部の）接触子担体
１５  （ソケット部の）歯状突起
１６  切欠き
１７  凸条
１８  溝
１９  （プラグ部の）本体
２０  （プラグ部の）外ネジ
２１  （プラグ部の）端面
２２  （プラグ部の）歯状突起
２３  突起部
２４  （ソケット部の）本体
２５  第１の封止リング
２６  第２の封止リング
２７  環状溝
２８  内ネジ
２９  環状カラー
３０  ラッチ部
３１  （ユニオンナットの）端面
３２  ストッパー
３３  （ユニオンナットの）平滑部
３４  （ネジスリーブの）平滑部
３５  環状フランジ
３６  環状空隙
３７  ストッパー
３８  （ユニオンナットの）端面
３９  環状空隙
４０  （最初の）ネジ山
【図１】
2007027112.tif 000003
【図２】
2007027112.tif 000004
【図３】
2007027112.tif 000005
【図４】
2007027112.tif 000006
【図５】
2007027112.tif 000007